(57)【要約】【課題】第１色盲を患う者は「濃い赤」（Ｒ＝１００％、Ｇ＝０％、Ｂ＝０％）は、ほとんど「黒」に見えて、「黒」と見分けられない。さらに暖色系の「濃い緑」は、「茶色」とほとんど見分けることが困難である。【解決手段】入力される画像信号であるＲ（赤）信号、Ｇ（緑）信号、Ｂ（青）信号の値に応じて補正信号を生成する補正信号生成手段と、その補正信号により入力信号を補正して出力する補正手段とにより、補正した画像信号とすることを実行する画像信号補正手段の動作方法。【選択図】  図１
2008289168.tif 000002
【特許請求の範囲】
【請求項１】
３原色信号であるＲ（赤）信号、Ｇ（緑）信号、Ｂ（青）信号からなる画像信号を入力するＲ入力端子、Ｇ入力端子、Ｂ入力端子と、
前記Ｒ入力端子とＧ入力端子とに接続され、その入力端子から入力されるＲ（赤）信号とＧ（緑）信号とにより補正をかけるための、Ｇ（緑）信号用の補正信号を生成するＧ補正信号生成手段と、
前記Ｒ入力端子とＢ入力端子とに接続され、その入力端子から入力されるＲ（赤）信号とＢ（青）信号とにより補正をかけるための、Ｂ（青）信号用の補正信号を生成するＢ補正信号生成手段と、を備える補正信号生成手段と、
前記Ｇ補正信号生成手段とＧ入力端子とに接続され、Ｇ補正信号生成手段にて生成された補正信号に基づきＧ入力端子から入力されるＧ（緑）信号の補正を行うＧ補正手段と、
前記Ｂ補正信号生成手段とＢ入力端子とに接続され、Ｂ補正信号生成手段にて生成された補正信号に基づきＢ入力端子から入力されるＢ（青）信号の補正を行うＢ補正手段と、を備える補正手段と、
前記Ｒ入力端子に接続されたＲ（赤）信号を出力するＲ出力端子と、
前記Ｇ補正手段に接続されたＧ（緑）信号を出力するＧ出力端子と、
前記Ｂ補正手段に接続されたＢ（青）信号を出力するＢ出力端子と、を備えた画像信号補正手段の動作方法であって、
当該補正信号生成手段のＧ補正信号生成手段が、入力されるＲ（赤）信号の値とＧ（緑）信号の値とに応じて一意に値が決定される、つまりＲ（赤）信号の値とＧ（緑）信号の値との大小に関連して補正信号の値の大小が決定される補正信号を生成するステップと、
当該補正信号生成手段のＢ補正信号生成手段が、入力されるＲ（赤）信号の値とＢ（青）信号の値とに応じて一意に値が決定される、つまりＲ（赤）信号の値とＢ（青）信号の値との大小に関連して補正信号の値の大小が決定される補正信号を生成するステップと、
当該補正手段のＧ補正手段が、前記Ｇ補正信号生成手段にて生成された補正信号に基づき、入力されたＧ（緑）信号を前記Ｇ補正信号生成手段で生成した補正信号にて補正して、補正後のＧ（緑）信号を出力するステップと、
当該補正手段のＢ補正手段が、前記Ｂ補正信号生成手段にて生成された補正信号に基づき、入力されたＢ（青）信号を前記Ｂ補正信号生成手段で生成した補正信号にて補正して、補正後のＢ（青）信号を出力するステップと、
を実行することを特徴とする画像信号補正手段の動作方法。
【請求項２】
３原色信号であるＲ（赤）信号、Ｇ（緑）信号、Ｂ（青）信号からなる画像信号を入力するＲ入力端子、Ｇ入力端子、Ｂ入力端子と、
前記Ｇ入力端子とＢ入力端子とに接続され、その入力端子から入力されるＧ（緑）信号とＢ（青）信号とに基づき補正をかけるための、Ｂ（青）信号用の補正信号を生成するＢ補正信号生成手段を備える補正信号生成手段と、
前記Ｂ入力端子とＢ補正信号生成手段とに接続され、Ｂ補正信号生成手段にて生成された補正信号に基づきＢ入力端子から入力されるＢ（青）信号の補正を行うＢ補正手段を備える補正手段と、
前記Ｒ入力端子に接続されたＲ（赤）信号を出力するＲ出力端子と、
前記Ｇ入力端子に接続されたＧ（緑）信号を出力するＧ出力端子と、
前記Ｂ補正手段に接続されたＢ（青）信号を出力するＢ出力端子と、
を備えた画像信号補正手段の動作方法であって、
当該補正信号生成手段のＢ補正信号生成手段が、入力されるＧ（緑）信号の値とＢ（青）信号の値とに応じて一意に値が決定される、つまりＧ（緑）信号の値とＢ（青）信号の値との大小に関連して補正信号の値の大小が決定される補正信号を生成するステップと、
当該補正手段のＢ補正手段が、前記Ｂ補正信号生成手段にて生成された補正信号に基づき、入力されたＢ（青）信号をＢ補正信号生成手段で生成した補正信号にて補正して、その補正後のＢ（青）信号を出力するステップと、
を実行することを特徴とする画像信号補正手段の動作方法。
【請求項３】
３原色信号であるＲ（赤）信号、Ｇ（緑）信号、Ｂ（青）信号からなる画像信号を入力するＲ入力端子、Ｇ入力端子、Ｂ入力端子と、
前記Ｒ入力端子とＧ入力端子とＢ入力端子とに接続され、その入力端子から入力されるＲ（赤）信号、Ｇ（緑）信号、Ｂ（青）信号からＹ（輝度）信号に変換する変換手段と、その変換手段により変換したＹ（輝度）信号とＢ（青）信号とに基づき補正をかけるための、Ｂ（青）信号用の補正信号を生成するＢ補正信号生成手段と、を備える補正信号生成手段と、
前記Ｂ補正信号生成手段とＢ入力端子とに接続され、Ｂ補正信号生成手段にて生成された補正信号に基づきＢ入力端子から入力されるＢ（青）信号の補正を行うＢ補正手段を備える補正手段と、
Ｒ入力端子に接続されたＲ（赤）信号を出力するＲ出力端子と、
Ｇ入力端子に接続されたＧ（緑）信号を出力するＧ出力端子と、
Ｂ補正手段に接続されたＢ（青）信号を出力するＢ出力端子と、
を備えた画像信号補正手段の動作方法であって、
当該補正信号生成手段の変換手段が、入力端子から入力されるＲ（赤）信号、Ｇ（緑）信号、Ｂ（青）信号をＹ（輝度）信号に変換し、その変換したＹ（輝度）信号を出力するステップと、
当該補正信号生成手段のＢ補正信号生成手段が、入力される画像信号のＲ（赤）信号、Ｇ（緑）信号、Ｂ（青）信号から変換して得られたＹ（輝度）信号の値とＢ（青）信号の値とに応じて一意に値が決定される、つまりＹ（輝度）信号の値とＢ（青）信号の値との大小に関連して補正信号の値の大小が決定される補正信号を生成するステップと、
当該補正手段のＢ補正手段が、前記Ｂ補正信号生成手段にて生成された補正信号に基づき、入力されたＢ（青）信号を前記Ｂ補正信号生成手段が生成した補正信号にて補正して、その補正後のＢ（青）信号を出力するステップと、
を実行することを特徴とする画像信号補正手段の動作方法。
【発明の詳細な説明】
【技術分野】
【０００１】
本発明は、表示装置等に利用されている画像信号の信号補正方法に関する。
【背景技術】
【０００２】
従来の表示装置は、３原色信号であるＲ（赤）信号、Ｇ（緑）信号、Ｂ（青）信号にて、被写体の色を忠実に再現する処理が行われていた。
又、画質調整処理として所望の色を調整することが可能であったが、一定の割合で補正を行うことや、特定の色を特定の色に変換すること等が行われている。
尚、表示装置にて一般的に採用されている画像信号としてＲ（赤）信号、Ｇ（緑）信号、Ｂ（青）信号や、Ｙ（輝度信号）、ＣｂＣｒ（色）信号等がある。これらのＲ（赤）信号、Ｇ（緑）信号、Ｂ（青）信号等の表し方としては、デジタルで表した一例として８ｂｉｔで表すと０から２５５、アナログで表すと０から１の実数、さらに０％から１００％等の表し方がある。さらには、ｘｖＹＣＣ規格の様な、さらに広い色域を表すことも規格化されている。つまりアナログで表すと０以下の負の実数、若しくは１以上の実数で表わされる色域も利用されている。
以後表記は、特にことわり無き場合は、デジタル８ｂｉｔで量子化した０〜２５５で表記する。小数点以下は四捨五入して整数で表すものとする。
【０００３】
この３原色信号であるＲ（赤）信号、Ｇ（緑）信号、Ｂ（青）信号からなる画像信号を、忠実に再現することは健常者にとっては好ましいことである。
しかし色盲を患う者には、必ずしも色を忠実に再現するのが良いとは限らない。例えば第１色盲を患う者は「濃い赤」（Ｒ＝２５５、Ｇ＝０、Ｂ＝０）は、ほとんど「黒」に見える。さらに緑は、黄色みがかった暖色系の緑から青みがかった寒色系の緑まで、様々な色あいがある。この中で暖色系の濃い緑は、色盲の人には茶色とほとんど見分けがつかない。鮮やかな緑である抹茶色は、色盲の人には真っ茶色に見えることがある。日本の夏の広葉樹林の深い緑も、茶色と見分けがつかない。
さらに、視覚の基本特性である分光視感度特性は加齢とともに短波長側、すなわち青色系統の感度が低下する。このため高齢者は青色系統の色画像が見づらいものである。
又、あらかじめ登録された色盲 および色弱者にとって誤認傾向のある色に関する情報を参照して、入力された画像データに誤認要因となる色が含まれているか判断し画像データの色を所定の色に変換する考案がされている。
【特許文献１】特開平１１−１７５０５０号広報
【特許文献２】特開２０００−３０６０７４号広報
【特許文献３】特開２００２−０５５６７１号広報
【特許文献４】特開２００１−１５４６５５号広報
【特許文献５】特開２００６−２４６０７２号広報
【発明の開示】
【発明が解決しようとする課題】
【０００４】
３原色信号であるＲ（赤）信号、Ｇ（緑）信号、Ｂ（青）信号からなる画像信号を、忠実に再現することは健常者にとっては好ましいことである。
しかし色盲を患う者には、必ずしも色を忠実に再現するのが良いとは限らない。
例えば第１色盲を患う者は「濃い赤」（Ｒ＝２５５、Ｇ＝０、Ｂ＝０）は、ほとんど「黒」に見える。この「濃い赤」は使わずに、少しだけ白を混ぜた「明るい赤」（Ｒ＝２５５、Ｇ＝５１、Ｂ＝５１）や短波長（オレンジ）寄りの「朱色」（Ｒ＝２５５、Ｇ＝５１、Ｂ＝０）を使うと，同じ赤でも緑視物質や青視物質を刺激することが可能となり、黒と分別が可能になる。例えば黒い文字列の中でも「明るい赤」の文字であれば強調され、暗い背景の中でも文字が読めるようになる。
さらに緑は、黄色みがかった暖色系の緑から青みがかった寒色系の緑まで、様々な色あいがある。この中で暖色系の濃い緑は、色盲の人には茶色とほとんど見分けがつかない。鮮やかな緑である抹茶色は、色盲の人には真っ茶色に見えることがある。日本の夏の広葉樹林の深い緑も、茶色と見分けがつかない。一方道路標識の緑のように青みが強い緑は、茶色と間違えにくい。また明るい緑は，暖色系だと黄色や赤と間違えることがあるが、青みが強ければ間違えにくい。
道路標識や交通信号は、同じ緑でも青みの強い色に限ることが定められている。
又、視覚の基本特性である分光視感度特性は加齢とともに短波長側、すなわち青色系統の感度が低下する。このため高齢者は青色系統の色画像が見づらいものである。
この発明は、上記の事情に鑑みてなされたものであり、視覚に病を患う者に見やすい画像に補正して表示することや、高齢者の青色系統の色画像が見づらいものを補正して表示し、且つ健常者にとっても違和感の少ない表示を可能とすること、が可能な表示装置のための信号補正方法の提供を目的とする。
画像信号の３原色信号であるＲ（赤）信号、Ｇ（緑）信号、Ｂ（青）信号の値に応じて補正量を変えて補正することができる信号補正方法である。
【課題を解決するための手段】
【０００５】
本発明は、入力される画像信号の値に応じて補正をかけるための補正信号を生成し、入力の画像信号に補正を行い出力することを最も主要な特徴とする。その詳細は以下に示す。
【０００６】
請求項１に記載の発明は、３原色信号であるＲ（赤）信号、Ｇ（緑）信号、Ｂ（青）信号からなる画像信号を入力するＲ入力端子、Ｇ入力端子、Ｂ入力端子と、
前記Ｒ入力端子とＧ入力端子とに接続され、その入力端子から入力されるＲ（赤）信号とＧ（緑）信号とにより補正をかけるための、Ｇ（緑）信号用の補正信号を生成するＧ補正信号生成手段と、
前記Ｒ入力端子とＢ入力端子とに接続され、その入力端子から入力されるＲ（赤）信号とＢ（青）信号とにより補正をかけるための、Ｂ（青）信号用の補正信号を生成するＢ補正信号生成手段と、を備える補正信号生成手段と、
前記Ｇ補正信号生成手段とＧ入力端子とに接続され、Ｇ補正信号生成手段にて生成された補正信号に基づきＧ入力端子から入力されるＧ（緑）信号の補正を行うＧ補正手段と、
前記Ｂ補正信号生成手段とＢ入力端子とに接続され、Ｂ補正信号生成手段にて生成された補正信号に基づきＢ入力端子から入力されるＢ（青）信号の補正を行うＢ補正手段と、を備える補正手段と、
前記Ｒ入力端子に接続されたＲ（赤）信号を出力するＲ出力端子と、
前記Ｇ補正手段に接続されたＧ（緑）信号を出力するＧ出力端子と、
前記Ｂ補正手段に接続されたＢ（青）信号を出力するＢ出力端子と、を備えた画像信号補正手段の動作方法であって、
当該補正信号生成手段のＧ補正信号生成手段が、入力されるＲ（赤）信号の値とＧ（緑）信号の値とに応じて一意に値が決定される、つまりＲ（赤）信号の値とＧ（緑）信号の値との大小に関連して補正信号の値の大小が決定される補正信号を生成するステップと、
当該補正信号生成手段のＢ補正信号生成手段が、入力されるＲ（赤）信号の値とＢ（青）信号の値とに応じて一意に値が決定される、つまりＲ（赤）信号の値とＢ（青）信号の値との大小に関連して補正信号の値の大小が決定される補正信号を生成するステップと、
当該補正手段のＧ補正手段が、前記Ｇ補正信号生成手段にて生成された補正信号に基づき、入力されたＧ（緑）信号を前記Ｇ補正信号生成手段で生成した補正信号にて補正して、補正後のＧ（緑）信号を出力するステップと、
当該補正手段のＢ補正手段が、前記Ｂ補正信号生成手段にて生成された補正信号に基づき、入力されたＢ（青）信号を前記Ｂ補正信号生成手段で生成した補正信号にて補正して、補正後のＢ（青）信号を出力するステップと、
を実行することを特徴とする画像信号補正手段の動作方法である。
この発明により、入力されるＲ（赤）、Ｇ（緑）信号、Ｂ（青）信号の値に応じて補正量を変えて補正することができる。つまり、Ｒ（赤）信号の値とＧ（緑）信号の値とに応じて補正量を変えて補正を行う事や、Ｒ（赤）信号の値とＢ（青）信号の値とに応じて補正量を変えて補正することができる。
【０００７】
請求項２に記載の発明は、３原色信号であるＲ（赤）信号、Ｇ（緑）信号、Ｂ（青）信号からなる画像信号を入力するＲ入力端子、Ｇ入力端子、Ｂ入力端子と、
前記Ｇ入力端子とＢ入力端子とに接続され、その入力端子から入力されるＧ（緑）信号とＢ（青）信号とに基づき補正をかけるための、Ｂ（青）信号用の補正信号を生成するＢ補正信号生成手段を備える補正信号生成手段と、
前記Ｂ入力端子とＢ補正信号生成手段とに接続され、Ｂ補正信号生成手段にて生成された補正信号に基づきＢ入力端子から入力されるＢ（青）信号の補正を行うＢ補正手段を備える補正手段と、
前記Ｒ入力端子に接続されたＲ（赤）信号を出力するＲ出力端子と、
前記Ｇ入力端子に接続されたＧ（緑）信号を出力するＧ出力端子と、
前記Ｂ補正手段に接続されたＢ（青）信号を出力するＢ出力端子と、
を備えた画像信号補正手段の動作方法であって、
当該補正信号生成手段のＢ補正信号生成手段が、入力されるＧ（緑）信号の値とＢ（青）信号の値とに応じて一意に値が決定される、つまりＧ（緑）信号の値とＢ（青）信号の値との大小に関連して補正信号の値の大小が決定される補正信号を生成するステップと、
当該補正手段のＢ補正手段が、前記Ｂ補正信号生成手段にて生成された補正信号に基づき、入力されたＢ（青）信号をＢ補正信号生成手段で生成した補正信号にて補正して、その補正後のＢ（青）信号を出力するステップと、
を実行することを特徴とする画像信号補正手段の動作方法である。
この発明により、入力されるＧ（緑）信号の値とＢ（青）信号の値とに応じて補正量を変えて補正することができる。
【０００８】
請求項３に記載の発明は、３原色信号であるＲ（赤）信号、Ｇ（緑）信号、Ｂ（青）信号からなる画像信号を入力するＲ入力端子、Ｇ入力端子、Ｂ入力端子と、
前記Ｒ入力端子とＧ入力端子とＢ入力端子とに接続され、その入力端子から入力されるＲ（赤）信号、Ｇ（緑）信号、Ｂ（青）信号からＹ（輝度）信号に変換する変換手段と、その変換手段により変換したＹ（輝度）信号とＢ（青）信号とに基づき補正をかけるための、Ｂ（青）信号用の補正信号を生成するＢ補正信号生成手段と、を備える補正信号生成手段と、
前記Ｂ補正信号生成手段とＢ入力端子とに接続され、Ｂ補正信号生成手段にて生成された補正信号に基づきＢ入力端子から入力されるＢ（青）信号の補正を行うＢ補正手段を備える補正手段と、
Ｒ入力端子に接続されたＲ（赤）信号を出力するＲ出力端子と、
Ｇ入力端子に接続されたＧ（緑）信号を出力するＧ出力端子と、
Ｂ補正手段に接続されたＢ（青）信号を出力するＢ出力端子と、
を備えた画像信号補正手段の動作方法であって、
当該補正信号生成手段の変換手段が、入力端子から入力されるＲ（赤）信号、Ｇ（緑）信号、Ｂ（青）信号をＹ（輝度）信号に変換し、その変換したＹ（輝度）信号を出力するステップと、
当該補正信号生成手段のＢ補正信号生成手段が、入力される画像信号のＲ（赤）信号、Ｇ（緑）信号、Ｂ（青）信号から変換して得られたＹ（輝度）信号の値とＢ（青）信号の値とに応じて一意に値が決定される、つまりＹ（輝度）信号の値とＢ（青）信号の値との大小に関連して補正信号の値の大小が決定される補正信号を生成するステップと、
当該補正手段のＢ補正手段が、前記Ｂ補正信号生成手段にて生成された補正信号に基づき、入力されたＢ（青）信号を前記Ｂ補正信号生成手段が生成した補正信号にて補正して、その補正後のＢ（青）信号を出力するステップと、
を実行することを特徴とする画像信号補正手段の動作方法である。
この発明により、入力されるＲ（赤）信号、Ｇ（緑）信号、Ｂ（青）信号から変換したＹ（輝度）信号の値とＢ（青）信号の値とに応じて補正量を変えて補正することができる。
【発明の効果】
【０００９】
本発明は、入力される画像信号の値に応じて補正をかけるための補正信号を生成する補正信号生成手段と、その補正信号生成手段の補正信号に基づき入力される画像信号に補正を加え出力する補正手段と、を備えた画像信号の信号補正手段の動作方法であるため、
入力されるＲ（赤）信号の値とＧ（緑）信号の値とに応じた補正信号を生成してＧ（緑）信号の補正を行う事や、入力されるＲ（赤）信号とＢ（青）信号の値との値に応じた補正信号を生成してＢ（青）信号の補正を行う事もできる。
さらに入力されるＧ（緑）信号とＢ（青）信号との値に応じた補正信号を生成してＢ（青）信号の補正を行う事もできる。
さらに入力されるＲ（赤）信号、Ｇ（緑）信号、Ｂ（青）信号から変換したＹ（輝度）信号の値とＢ（青）信号の値とに応じた補正信号を生成してＢ（青）信号の補正を行う事もできる。
【発明を実施するための最良の形態】
【００１０】
入力される３原色の入力信号であるＲ（赤）信号、Ｇ（緑）信号、Ｂ（青）信号からなる画像信号の値に応じて補正信号を生成し、その前記補正信号に基づき前記入力の画像信号に補正を加え出力することで実現した。
【実施例】
【００１１】
以下に、本発明の実施の形態例を詳細に説明する。しかし、この実施の形態例によって、この発明が限定されるものではない。
【００１２】
先ず図１を参照して、画像信号補正手段１０Ｂを例に、Ｒ（赤）信号の値に対応してＧ（緑）信号を補正する、若しくはＲ（赤）信号の値に対応してＢ（青）信号を補正する場合の説明を行う。
【００１３】
画像信号補正手段１０Ｂは、
画像信号の赤色成分であるＲ（赤）信号が入力される入力端子２０と、
画像信号の緑色成分であるＧ（緑）信号が入力される入力端子３０と、
画像信号の青色成分であるＢ（青）信号が入力される入力端子４０と、
前記入力端子２０、３０、４０と後段の補正手段７０Ｂとに接続された補正信号生成手段６０Ｂと、
前記入力端子３０、４０と補正信号生成手段６０Ｂと出力端子９０、１００とに接続された補正手段７０Ｂと、
前記入力端子２０に接続された出力端子８０と、
前記補正手段７０Ｂに接続された出力端子９０、１００とが備えられている。
【００１４】
補正信号生成手段６０Ｂは、
前記入力端子２０、３０と後段の補正手段７０ＢのＧ補正手段７１Ｂとに接続されたＧ補正信号生成手段６１Ｂと、
前記入力端子２０、４０と後段の補正手段７０ＢのＢ補正手段７２Ｂとに接続されたＢ補正信号生成手段６２Ｂとを備え、
Ｇ補正信号生成手段６１Ｂは、Ｒ（赤）信号とＧ（緑）信号とに基づき補正信号を生成してＧ補正手段７１Ｂに出力し、
Ｂ補正信号生成手段６２Ｂは、Ｒ（赤）信号とＢ（青）信号とに基づき補正信号を生成してＢ補正手段７２Ｂに出力する。
【００１５】
補正手段７０Ｂは、
入力端子３０とＧ補正信号生成手段６１Ｂと出力端子９０とに接続されたＧ補正手段７１Ｂと、
入力端子４０とＢ補正信号生成手段６２Ｂと出力端子１００とに接続されたＢ補正手段７２Ｂとを備え、
Ｇ補正手段７１Ｂは、入力端子３０からのＧ（緑）信号にＧ補正信号生成手段６１Ｂからの補正信号に基づき補正を行い補正後の信号を出力端子９０に出力し、
Ｂ補正手段７２Ｂは、入力端子４０からのＢ（青）信号にＢ補正信号生成手段６２Ｂからの補正信号に基づき補正を行い補正後の信号を出力端子１００に出力する。
【００１６】
上記のように構成された画像信号補正手段１０Ｂに、それぞれＲ（赤）信号＝２５５、Ｇ（緑）信号＝０、Ｂ（青）信号＝０が入力された際に、Ｇ（緑）信号とＢ（青）信号とを補正する場合を、図１を参照して説明を行う。
【００１７】
画像信号補正手段１０Ｂの入力端子２０、３０、４０には、それぞれＲ（赤）信号＝２５５、Ｇ（緑）信号＝０、Ｂ（青）信号＝０が入力される。
入力端子２０には、画像信号の赤色成分であるＲ（赤）信号が入力され、
入力端子３０には、画像信号の緑色成分であるＧ（緑）信号が入力され、
入力端子４０には、画像信号の青色成分であるＢ（青）信号が入力される。
従って、Ｒ（赤）信号は、補正信号生成手段６０ＢのＧ補正信号生成手段６１ＢとＢ補正信号生成手段６２Ｂとに入力され、さらに出力端子８０にて出力される。
Ｇ（緑）信号は、補正信号生成手段６０ＢのＧ補正信号生成手段６１Ｂと補正手段７０ＢのＧ補正手段７１Ｂとに入力される。
Ｂ（青）信号は、補正信号生成手段６０ＢのＢ補正信号生成手段６２Ｂと補正手段７０ＢのＢ補正手段７２Ｂとに入力される。
【００１８】
補正信号生成手段６０ＢのＧ補正信号生成手段６１Ｂは、入力されるＲ（赤）信号とＧ（緑）信号の値に基づき、一意に値が決定される補正信号を生成し、補正手段７０ＢのＧ補正手段７１Ｂに出力する。
尚、Ｇ補正信号生成手段６１Ｂが生成する補正信号の例１Ｂとして、
ＧＫ１は所望する係数であり一例として２．５、
ＧＫ２は所望する係数であり一例として５、
入力されるＲ（赤）信号をＲ、ただしＲは０〜２５５、
入力されるＧ（緑）信号をＧ、ただしＧは０〜２５５とするとき、
（Ｒ−（Ｇ×ＧＫ１））が負の値の場合では、生成される補正信号Ｇは０、
（Ｒ−（Ｇ×ＧＫ１））が正の値の場合では、
補正信号Ｇ＝（Ｒ−（Ｇ×ＧＫ１））÷ＧＫ２、
である補正信号Ｇを生成する。
従って、Ｒ（赤）信号の値とＧ（緑）信号の値との大小に関連して補正信号の値の大小が決定される補正信号を生成できる。
【００１９】
補正信号生成手段６０ＢのＢ補正信号生成手段６２Ｂは、入力されるＲ（赤）信号とＢ（青）信号の値に基づき、一意に値が決定される補正信号を生成し、補正手段７０ＢのＢ補正手段７２Ｂに出力する。
尚、Ｂ補正信号生成手段６２Ｂが生成する補正信号の例２Ｂとして、
ＢＫ１は所望する係数であり一例として２．５、
ＢＫ２は所望する係数であり一例として５、
入力されるＲ（赤）信号をＲ、ただしＲは０〜２５５、
入力されるＢ（青）信号をＢ、ただしＢは０〜２５５とするとき、
（Ｒ−（Ｂ×ＢＫ１））が負の値の場合では、生成される補正信号Ｂは０、
（Ｒ−（Ｂ×ＢＫ１））が正の値の場合では、
補正信号Ｂ＝（Ｒ−（Ｂ×ＢＫ１））÷ＢＫ２、
である補正信号Ｂを生成する。
従って、Ｒ（赤）信号の値とＢ（青）信号の値との大小に関連して補正信号の値の大小が決定される補正信号を生成できる。
【００２０】
補正手段７０ＢのＧ補正手段７１Ｂは、入力端子３０からのＧ（緑）信号に、Ｇ補正信号生成手段６１Ｂからの補正信号に基づき補正を行い出力端子９０に出力する。
補正手段７０ＢのＢ補正手段７２Ｂは、入力端子４０からのＢ（青）信号に、Ｂ補正信号生成手段６２Ｂからの補正信号に基づき補正を行い出力端子１００に出力する。
その結果、Ｒ（赤）信号＝２５５、Ｇ（緑）信号＝０、Ｂ（青）信号＝０が入力された際に、Ｒ（赤）信号＝２５５、Ｇ（緑）信号＝５１、Ｂ（青）信号＝５１に補正することができる。
この例１Ｂ、２Ｂの補正前の信号と補正後の信号との関係の代表値例を図４に示す。
【００２１】
さらに又、補正信号の値を決める別な例３Ｂとして、入力されるＲ（赤）信号と入力されるＢ（青）信号とに基づき、
logは、１０を低とする対数とし、
入力されるＲ（赤）信号をＲ、ただしＲは０〜１００、
入力されるＢ（青）信号をＢ、ただしＢは０〜１００とするとき、
（１−log（（Ｂ＋１０）÷１０））が負の値の場合では、生成される補正信号Ｂは０、
（１−log（（Ｂ＋１０）÷１０））が正の値の場合では、
補正信号Ｂ＝（２０×（Ｒ÷１００））×（１−log（（Ｂ＋１０）÷１０））、
である補正信号Ｂを生成する。
従って、Ｒ（赤）信号の値とＢ（青）信号の値との大小に関連して補正信号の値の大小が決定される補正信号を生成できる。
【００２２】
この例３Ｂの補正前の信号と補正後の信号との関係の代表値例を図５に示し、さらに入力されているＲ（赤）信号とＢ（青）信号の値に基づき生成される補正信号の代表値例を表１に示す。
【表１】
2008289168.tif 000003
尚、前記例はＢ補正信号生成手段６２Ｂの例であるが、Ｇ補正信号生成手段６１Ｂも同様である。
【００２３】
次に図２を参照して、画像信号補正手段１０Ｃを例に説明を行う。
画像信号補正手段１０Ｃは、
画像信号の赤色成分であるＲ（赤）信号が入力される入力端子２０と、
画像信号の緑色成分であるＧ（緑）信号が入力される入力端子３０と、
画像信号の青色成分であるＢ（青）信号が入力される入力端子４０と、
前記入力端子３０、４０と後段の補正手段７０Ｃとの間に介在し接続された補正信号生成手段６０Ｃと、
前記入力端子４０と補正信号生成手段６０Ｃと出力端子１００とに接続された補正手段７０Ｃと、
前記入力端子２０に接続された出力端子８０と、
前記入力端子３０に接続された出力端子９０と、
前記補正手段７０Ｃに接続された出力端子１００とが備えられている。
【００２４】
補正信号生成手段６０Ｃは、
前記入力端子３０、４０と後段の補正手段７０ＣのＢ補正手段７２Ｃとに接続されたＢ補正信号生成手段６２Ｃを備え、
入力されるＧ（緑）信号とＢ（青）信号とに基づき、Ｂ補正信号生成手段６２Ｃが補正信号を生成して補正手段７０ＣのＢ補正手段７２Ｃに出力する。
【００２５】
補正手段７０Ｃは、
入力端子４０と補正信号生成手段６０ＣのＢ補正信号生成手段６２Ｃと出力端子１００とに接続されたＢ補正手段７２Ｃを備え、
Ｂ補正手段７２Ｃは、入力端子４０からのＢ（青）信号に、Ｂ補正信号生成手段６２Ｃからの補正信号に基づき補正を行い補正後の信号を出力端子１００に出力する。
【００２６】
上記のように構成された画像信号補正手段１０Ｃに、「濃い緑」であるＲ（赤）信号＝０、Ｇ（緑）信号＝２５５、Ｂ（青）信号＝０が入力された際に、少しだけ青を混ぜた色Ｒ（赤）信号＝０、Ｇ（緑）信号＝２５５、Ｂ（青）信号＝５１に補正する場合の説明を行う。
【００２７】
画像信号補正手段１０Ｃの入力端子２０、３０、４０には、それぞれＲ（赤）信号＝０、Ｇ（緑）信号＝２５５、Ｂ（青）信号＝０が入力される。
入力端子２０には、画像信号の赤色成分であるＲ（赤）信号が入力され、
入力端子３０には、画像信号の緑色成分であるＧ（緑）信号が入力され、
入力端子４０には、画像信号の青色成分であるＢ（青）信号が入力される。
従って、Ｒ（赤）信号は、出力端子８０にて出力され、
Ｇ（緑）信号は、補正信号生成手段６０ＣのＢ補正信号生成手段６２Ｃに入力されると共に出力端子９０にて出力され、
Ｂ（青）信号は、補正信号生成手段６０ＣのＢ補正信号生成手段６２Ｃと補正手段７０ＣのＢ補正手段７２Ｃとに入力される。
【００２８】
補正信号生成手段６０ＣのＢ補正信号生成手段６２Ｃは、入力されるＧ（緑）信号とＢ（青）信号との値に応じ一意に値が決定される補正信号を生成し、補正手段７０ＣのＢ補正手段７２Ｃに出力する。
尚、Ｂ補正信号生成手段６２Ｃが生成する補正信号の一例として、
ＢＫ１は所望する係数であり一例として２．５、
ＢＫ２は所望する係数であり一例として５、
入力されるＧ（緑）信号をＧ、ただしＧは０〜２５５
入力されるＢ（青）信号をＢ、ただしＢは０〜２５５とするとき、
（Ｇ−（Ｂ×ＢＫ１））が負の値の場合では、生成される補正信号Ｂは０、
（Ｇ−（Ｂ×ＢＫ１））が正の値の場合では、
補正信号Ｂ＝（Ｇ−（Ｂ×ＢＫ１））÷ＢＫ２、
である補正信号Ｂを生成する。
従って、Ｇ（緑）信号の値とＢ（青）信号の値との大小に関連して補正信号の値の大小が決定される補正信号を生成できる。
【００２９】
補正手段７０ＣのＢ補正手段７２Ｃは、入力端子４０からのＢ（青）信号に、前記Ｂ補正信号生成手段６２Ｃからの補正信号に基づき補正を行い出力端子１００に出力する。
この例の補正前の信号と補正後の信号との関係の代表値例を図６に示す。
【００３０】
次に図３を参照して画像信号補正手段１０Ｄを例に、入力されたＲ（赤）信号、Ｇ（緑）信号、Ｂ（青）信号をＹ（輝度）信号に変換し、そのＹ（輝度）信号の値に応じて、Ｂ（青）信号を補正する場合の説明を行う。
【００３１】
画像信号補正手段１０Ｄは、
画像信号の赤色成分であるＲ（赤）信号が入力される入力端子２０と、
画像信号の緑色成分であるＧ（緑）信号が入力される入力端子３０と、
画像信号の青色成分であるＢ（青）信号が入力される入力端子４０と、
前記入力端子２０、３０、４０と後段の補正手段７０Ｄとに接続された補正信号生成手段６０Ｄと、
前記入力端子４０と補正信号生成手段６０Ｄと後段の出力端子１００とに接続された補正手段７０Ｄと、
前記入力端子２０に接続された出力端子８０と、前記入力端子３０に接続された出力端子９０と、
前記補正手段７０Ｄに接続された出力端子１００とが備えられている。
【００３２】
補正信号生成手段６０Ｄは、入力端子２０、３０、４０と後段のＢ補正信号生成手段６２Ｄとに接続され、入力されたＲ（赤）信号、Ｇ（緑）信号、Ｂ（青）信号をＹ（輝度）信号に変換する変換手段６３Ｄと、その変換手段６３Ｄと入力端子４０と後段の補正手段７０ＤのＢ補正手段７２Ｄとに接続されたＢ補正信号生成手段６２Ｄと、を備える。
Ｂ補正信号生成手段６２Ｄは、変換手段６３ＤからのＹ（輝度）信号と入力端子４０から入力されたＢ（青）信号とに基づき、補正信号を生成して補正手段７０ＤのＢ補正手段７２Ｄに出力する。
【００３３】
補正手段７０Ｄは、前記入力端子４０と補正信号生成手段６０ＤのＢ補正信号生成手段６２Ｄと出力端子１００とに接続されたＢ補正手段７２Ｄを備え、
Ｂ補正手段７２Ｄは、入力端子４０からのＢ（青）信号に、補正信号生成手段６０ＤのＢ補正信号生成手段６２Ｄからの補正信号に基づき補正を行い補正後の信号を出力端子１００に出力する。
【００３４】
出力端子８０は、前記入力端子２０に接続され、入力端子２０からの信号を出力する。
出力端子９０は、前記入力端子３０に接続され、入力端子３０からの信号を出力する。
出力端子１００は、前記補正手段７０ＤのＢ補正手段７２Ｄに接続され補正後の信号を出力する。
【００３５】
上記のように構成された画像信号補正手段１０Ｄに、それぞれＲ（赤）信号＝１２８（５０％）、Ｇ（緑）信号＝１２８（５０％）、Ｂ（青）信号＝２６（１０％）が入力された際に、Ｂ（青）信号を補正する場合を、図３を参照して説明を行う。
【００３６】
画像信号補正手段１０Ｄに、それぞれＲ（赤）信号＝１２８（５０％）、Ｇ（緑）信号＝１２８（５０％）、Ｂ（青）信号＝２６（１０％）が入力される。
入力端子２０には、画像信号の赤色成分であるＲ（赤）信号が入力され、
入力端子３０には、画像信号の緑色成分であるＧ（緑）信号が入力され、
入力端子４０には、画像信号の青色成分であるＢ（青）信号が入力される。
Ｒ（赤）信号は、補正信号生成手段６０Ｄの変換手段６３Ｄに入力されると共に出力端子８０にて出力される。
Ｇ（緑）信号は、補正信号生成手段６０Ｄの変換手段６３Ｄに入力されると共に出力端子９０にて出力される。
Ｂ（青）信号は、補正信号生成手段６０ＤのＢ補正信号生成手段６２Ｄと変換手段６３Ｄと補正手段７０ＤのＢ補正手段７２Ｄとに入力される。
【００３７】
補正信号生成手段６０Ｄの変換手段６３Ｄは、入力端子２０、３０、４０からのＲ（赤）信号、Ｇ（緑）信号、Ｂ（青）信号をＹ（輝度）信号に変換し、Ｂ補正信号生成手段６２Ｄに出力する。
尚、８bit量子化にて表したＲＧＢ信号を、ＹＣｂＣｒ信号に変換する変換式の一例としてＩＴＵ−Ｒ  ＢＴ．６０１に規定されている、色変換式のＹ信号に関する式を例として次に示す。
入力されるＲ（赤）信号をＲ、ただしＲは０〜２５５、
入力されるＧ（緑）信号をＧ、ただしＧは０〜２５５、
入力されるＢ（青）信号をＢ、ただしＢは０〜２５５とするとき、
Ｙ＝（７７×Ｒ／２５６）＋（１５０×Ｇ／２５６）＋（２９×Ｂ／２５６）
従って、Ｒ（赤）信号＝１２８、Ｇ（緑）信号＝１２８、Ｂ（青）信号＝２６が入力された際のＹ（輝度）信号の値は、約１１６である。
【００３８】
補正信号生成手段６０ＤのＢ補正信号生成手段６２Ｄは、変換手段６３ＤからのＹ（輝度）信号の値と入力端子４０からのＢ（青）信号の値とに応じて一意に値が決定される補正信号を生成し補正手段７２Ｄへ出力する。
尚、Ｂ補正信号生成手段６２Ｄが生成する補正信号の一例として、
ＢＫ１は所望する係数であり一例として２．５、
ＢＫ２は所望する係数であり一例として５、
入力端子２０、３０、４０からのＲ（赤）信号、Ｇ（緑）信号、Ｂ（青）信号をＹ（輝度）信号に変換したＹ（輝度）信号をＹ、ただしＹは０〜２５５、
入力されるＢ（青）信号をＢとするとき、
（Ｙ−（Ｂ×ＢＫ１））が負の値の場合では、生成される補正信号Ｂは０、
（Ｙ−（Ｂ×ＢＫ１））が正の値の場合では、生成される補正信号Ｂは、
補正信号Ｂ＝（Ｙ―（Ｂ×ＢＫ１））÷ＢＫ２、
である補正信号を生成する。
従って、補正信号Ｂ＝（（１１６−（２６×２．５））÷５）＝約１０の補正信号を生成する。
【００３９】
補正手段７０Ｄの補正手段７２Ｄは、入力端子４０からのＢ（青）信号に、Ｂ補正信号生成手段６２Ｄからの補正信号に基づき補正を行い出力端子１００へ出力する。
その結果、Ｒ（赤）信号、Ｇ（緑）信号、Ｂ（青）信号を変換したＹ（輝度）信号の値とＢ（青）信号との値とに応じた補正信号で、Ｂ（青）信号を補正することができる。
【００４０】
この一例の入力信号であるＲ（赤）信号、Ｇ（緑）信号、Ｂ（青）信号と変換したＹ（輝度）信号と補正信号との代表値を表２から表１２に示す。
表２は、Ｒ（赤）信号、Ｇ（緑）信号、Ｂ（青）信号が、０から２５５まで１０％刻みで増加した場合の、Ｙ（輝度）信号と補正信号との値である。
【表２】
2008289168.tif 000004
【００４１】
表３は、Ｒ（赤）信号＝約２６（１０％）、Ｇ（緑）信号＝約２６（１０％）で、Ｂ（青）信号が、０から約１０２（４０％）まで１０％刻みで増加した場合の、Ｙ（輝度）信号と補正信号との値である。
【表３】
2008289168.tif 000005
【００４２】
表４は、Ｒ（赤）信号＝約５１（２０％）、Ｇ（緑）信号＝約５１（２０％）で、Ｂ（青）信号が、０から約１０２（４０％）まで１０％刻みで増加した場合の、Ｙ（輝度）信号と補正信号との値である。
【表４】
2008289168.tif 000006
【００４３】
表５は、Ｒ（赤）信号＝約７７（３０％）、Ｇ（緑）信号＝約７７（３０％）で、Ｂ（青）信号が、０から約１０２（４０％）まで１０％刻みで増加した場合の、Ｙ（輝度）信号と補正信号との値である。
【表５】
2008289168.tif 000007
【００４４】
表６は、Ｒ（赤）信号＝約１０２（４０％）、Ｇ（緑）信号＝約１０２（４０％）で、Ｂ（青）信号が、０から約１０２（４０％）まで１０％刻みで増加した場合の、Ｙ（輝度）信号と補正信号との値である。
【表６】
2008289168.tif 000008
【００４５】
表７は、Ｒ（赤）信号＝約１２８（５０％）、Ｇ（緑）信号＝約１２８（５０％）で、Ｂ（青）信号が、０から約１０２（４０％）まで１０％刻みで増加した場合の、Ｙ（輝度）信号と補正信号との値である。
【表７】
2008289168.tif 000009
【００４６】
表８は、Ｒ（赤）信号＝約１５３（６０％）、Ｇ（緑）信号＝約１５３（６０％）で、Ｂ（青）信号が、０から約１０２（４０％）まで１０％刻みで増加した場合の、Ｙ（輝度）信号と補正信号との値である。
【表８】
2008289168.tif 000010
【００４７】
表９は、Ｒ（赤）信号＝約１７９（７０％）、Ｇ（緑）信号＝約１７９（７０％）で、Ｂ（青）信号が、０から約１０２（４０％）まで１０％刻みで増加した場合の、Ｙ（輝度）信号と補正信号との値である。
【表９】
2008289168.tif 000011
【００４８】
表１０は、Ｒ（赤）信号＝約２０４（８０％）、Ｇ（緑）信号＝約２０４（８０％）で、Ｂ（青）信号が、０から約１０２（４０％）まで１０％刻みで増加した場合の、Ｙ（輝度）信号と補正信号との値である。
【表１０】
2008289168.tif 000012
【００４９】
表１１は、Ｒ（赤）信号＝約２３０（９０％）、Ｇ（緑）信号＝約２３０（９０％）で、Ｂ（青）信号が、０から約１０２（４０％）まで１０％刻みで増加した場合の、Ｙ（輝度）信号と補正信号との値である。
【表１１】
2008289168.tif 000013
【００５０】
表１２は、Ｒ（赤）信号＝約２５５（１００％）、Ｇ（緑）信号＝約２５５（１００％）で、Ｂ（青）信号が、０から約１０２（４０％）まで１０％刻みで増加した場合の、Ｙ（輝度）信号と補正信号との値である。
【表１２】
2008289168.tif 000014
【００５１】
尚、入力３原色信号を表す量子化ｂｉｔ数は、８ｂｉｔ以外の所望のｂｉｔ数であること、若しくは８ｂｉｔ以外の所望のｂｉｔ数であり、且つ負を表すことが可能なサインビットを備える量子化方法であっても同様な効果が得られる。
【００５２】
さらに、実施例で説明に使用したＢＫ１とＢＫ２とＧＫ１とＧＫ２等の係数は、他の所望する値であっても効果が得られる。
【００５３】
補正信号生成手段は、ルックアップテーブル方式であるデジタル化された階調のデータを任意の階調に補正するために入力と出力の対照表を利用することによる所望の補正値により、入力に対する所望の直線的な出力特性とする補正値、さらに入力に対する所望の曲線的な出力特性とする補正値の生成が可能であることであっても一意に値が決定される補正信号を生成でき同様な効果が得られる。
【００５４】
又、画像信号で表わされる色空間がｓＲＧＢ表色系と、一意に変換が可能な表色系、例えばＲＧＢＡ表色系、若しくはＹＩＱ表色系、若しくはＹＣｂＣｒ表色系、若しくはＹＰｂＰｒ表色系、若しくはＸＹＺ表色系、若しくはｘｙＹ表色系、若しくはｘｖＹＣＣ表色系、で補正を行うことであっても同様な効果が得られる。
【産業上の利用可能性】
【００５５】
本発明は、入力される画像信号の値に応じて補正をかけるための補正信号を生成する補正信号生成手段と、その補正信号生成手段の補正信号に基づき前記入力される画像信号に補正を加え出力する補正手段と、を備えた画像信号の信号補正手段の動作方法であるため、
Ｒ（赤）信号の値とＧ（緑）信号の値とに応じた補正信号を生成して、Ｇ（緑）信号の補正を行う事や、
Ｒ（赤）信号の値とＢ（青）信号の値とに応じた補正信号を生成して、Ｂ（青）信号の補正を行う事もできる。
さらにＧ（緑）信号とＢ（青）信号との値とに応じた補正信号を生成して、Ｂ（青）信号の補正を行う事ができる。
従って、第１色盲を患う者でも判別が困難であったが、補正を行う事により判別が可能な表示とすることができ、健常者にも違和感の少ない表示を可能とすることを特徴とする表示装置を提供できる。
さらにＲ（赤）信号、Ｇ（緑）信号、Ｂ（青）信号から変換したＹ（輝度）信号とＢ（青）信号の値との値に応じた補正信号を生成して、Ｂ（青）信号の補正を行う事もできる。
従って、加齢と共に低下した青色系統の感度を補うためのＢ（青）信号の補正を行うことにより、高齢者にはＢ（青）信号の値が低い場合ではＢ（青）信号を補正しているため見やすくなり、Ｂ（青）信号の値が高い場合にはＢ（青）信号補正しないため高齢者以外の者にも違和感の少ない画像を表示することができることを特徴とする表示装置を提供できる。
【図面の簡単な説明】
【００５６】
【図１】本発明に係る実施の形態例の画像信号補正手段１０Ｂの構成を説明するブロック図である。（実施例１）
【図２】本発明に係る実施の形態例の画像信号補正手段１０Ｃの構成を説明するブロック図である。（実施例２）
【図３】本発明に係る実施の形態例の画像信号補正手段１０Ｄの構成を説明するブロック図である。（実施例３）
【図４】本発明に係る実施例１の補正前の入力信号に対する補正後の出力信号の関係を表す代表値の例の図である。
【図５】本発明に係る実施例１の補正前の入力信号に対する補正後の出力信号の関係を表す図４以外代表値の例の図である。
【図６】本発明に係る実施例２の補正前の入力信号に対する補正後の出力信号の関係を表す代表値の例の図である。
【符号の説明】
【００５７】
１０Ｂ  画像信号補正手段
１０Ｃ  画像信号補正手段
１０Ｄ  画像信号補正手段
２０    入力信号Ｒ用入力端子
３０    入力信号Ｇ用入力端子
４０    入力信号Ｂ用入力端子
６０Ｂ  補正信号生成手段
６０Ｃ  補正信号生成手段
６０Ｄ  補正信号生成手段
６１Ｂ  Ｇ補正信号生成手段
６２Ｂ  Ｂ補正信号生成手段
６２Ｃ  Ｂ補正信号生成手段
６２Ｄ  Ｂ補正信号生成手段
６３Ｄ  変換手段
７０Ｂ  補正手段
７０Ｃ  補正手段
７０Ｄ  補正手段
７１Ｂ  Ｇ補正手段
７２Ｂ  Ｂ補正手段
７２Ｃ  Ｂ補正手段
７２Ｄ  Ｂ補正手段
８０    出力信号Ｒ用出力端子
９０    出力信号Ｇ用出力端子
１００  出力信号Ｂ用出力端子
【図１】
2008289168.tif 000015
【図２】
2008289168.tif 000016
【図３】
2008289168.tif 000017
【図４】
2008289168.tif 000018
【図５】
2008289168.tif 000019
【図６】
2008289168.tif 000020